(57)【特許請求の範囲】
【請求項１】
デジタル放送を再送信する受信点における信号品質を評価するデジタル放送受信信号評価装置において、
前記受信点の候補となる複数の詳細地点に関するデータを含む詳細地点リストを生成する詳細地点リスト生成部と、
受信局の候補となる放送局を希望局として、複数の希望局に関するデータを含む希望局リストを生成する希望局リスト生成部と、
前記希望局リストに含まれる全ての希望局に対して、前記詳細地点リストに含まれる詳細地点毎に電界を計算し、詳細地点の電界を含む希望局地点電界リストを生成する希望局地点電界リスト生成部と、
前記全ての希望局に対して、予め設定された検討地点と前記詳細地点との間の距離、及び前記希望局地点電界リストにおける詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力する受信局決定部と、
前記受信局と同一チャンネル及び同一メディアの希望局を前記全ての希望局から抽出し、抽出した希望局をＳＦＮ（Ｓｉｎｇｌｅ  Ｆｒｅｑｕｅｎｃｙ  Ｎｅｔｗｏｒｋ）局として、前記ＳＦＮ局に対する詳細地点毎の電界を含むＳＦＮ局地点電界リストを出力する同一チャンネル局抽出部と、
前記受信局の放送波に対して干渉波を伝送する放送局を妨害局として、前記複数の妨害局に関するデータを含む妨害局リストを生成する妨害局リスト生成部と、
前記妨害局リストに含まれる妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するアナログ妨害局地点電界リスト生成部と、
前記妨害局リストに含まれる妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するデジタル妨害局地点電界リスト生成部と、
前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成する地点等価Ｃ／Ｎリスト生成部と、
を備えたことを特徴とするデジタル放送受信信号評価装置。
【請求項２】
請求項１に記載のデジタル放送受信信号評価装置において、
前記受信局決定部は、予め設定された検討地点と前記詳細地点との間の距離、及び前記希望局地点電界リストにおける詳細地点の電界の値に基づいて、前記検討地点の近くに電界の値が大きい詳細地点が存在する度合いを示す重みを計算し、前記計算した全ての希望局の重みのうち、最も値の大きい希望局を受信局に決定する、
ことを特徴とするデジタル放送受信信号評価装置。
【請求項３】
請求項１または２に記載のデジタル放送受信信号評価装置において、
前記妨害局リスト生成部は、前記受信局と同一チャンネル及び異なるメディアの放送局を妨害局とする、
ことを特徴とするデジタル放送受信信号評価装置。
【請求項４】
請求項１から３までのいずれか一項に記載のデジタル放送受信信号評価装置において、
前記地点等価Ｃ／Ｎリスト生成部は、
前記受信局地点電界リストに基づいて、受信機雑音の等価Ｃ／Ｎを計算する受信機雑音Ｃ／Ｎ計算部と、
前記受信局地点電界リスト及びＳＦＮ局地点電界リストに基づいて、ＳＦＮ干渉波が存在する場合の等価Ｃ／Ｎを計算するＳＦＮ局地点等価Ｃ／Ｎ計算部と、
前記受信局地点電界リスト及びアナログ妨害局地点電界リストに基づいて、アナログ干渉波が存在する場合の等価Ｃ／Ｎを計算するアナログ妨害局地点等価Ｃ／Ｎ計算部と、
前記受信局地点電界リスト及びデジタル妨害局地点電界リストに基づいて、デジタル干渉波が存在する場合の等価Ｃ／Ｎを計算するデジタル妨害局地点等価Ｃ／Ｎ計算部と、
前記受信機雑音Ｃ／Ｎ計算部、ＳＦＮ局地点等価Ｃ／Ｎ計算部、アナログ妨害局地点等価Ｃ／Ｎ計算部及びデジタル妨害局地点等価Ｃ／Ｎ計算部によりそれぞれ計算された等価Ｃ／Ｎを電力加算するＣ／Ｎ電力加算部と、
を備えたことを特徴とするデジタル放送受信信号評価装置。
【請求項５】
請求項４に記載のデジタル放送受信信号評価装置において、
前記地点等価Ｃ／Ｎリスト生成部のＳＦＮ局地点等価Ｃ／Ｎ計算部は、
前記ＳＦＮ局地点電界リストに基づいて、前記詳細地点についてのＧＩ（Ｇｕａｒｄ  Ｉｎｔｅｒｖａｌ）内外判定を行うＳＦＮ波ＧＩ内外判定部と、
前記受信局地点電界リスト、及び前記ＳＦＮ波ＧＩ内外判定部によりＧＩ外であると判定された詳細地点における電界のデータに基づいて、ＳＦＮのＧＩ外波が存在する場合の等価Ｃ／Ｎを計算するＳＦＮ波ＧＩ外干渉波等価Ｃ／Ｎ計算部と、
前記受信局地点電界リスト、及び前記ＳＦＮ波ＧＩ内外判定部によりＧＩ内であると判定された詳細地点における電界のデータに基づいて、ＳＦＮのＧＩ内波が存在する場合の等価Ｃ／Ｎを計算するＳＦＮ波ＧＩ内干渉波等価Ｃ／Ｎ計算部と、
前記ＳＦＮ波ＧＩ外干渉波等価Ｃ／Ｎ計算部により計算された等価Ｃ／Ｎと、前記ＳＦＮ波ＧＩ内干渉波等価Ｃ／Ｎ計算部により計算された等価Ｃ／Ｎとを合算して、ＳＦＮ干渉波が存在する場合の等価Ｃ／Ｎを算出する等価Ｃ／Ｎ合算部と、
を備えたことを特徴とするデジタル放送受信信号評価装置。
【請求項６】
請求項１から５までのいずれか一項に記載のデジタル放送受信信号評価装置において、
前記地点等価Ｃ／Ｎリスト生成部は、メディア毎に、前記全ての詳細地点の等価Ｃ／Ｎを含む地点等価Ｃ／Ｎリストを生成する、
ことを特徴とするデジタル放送受信信号評価装置。
【請求項７】
請求項１から６までのいずれか一項に記載のデジタル放送受信信号評価装置において、
さらに、前記地点等価Ｃ／Ｎリスト生成部により生成された地点等価Ｃ／Ｎリストに含まれる詳細地点毎の等価Ｃ／Ｎを、その等価Ｃ／Ｎの値に応じた形態で地図上に表示する地図表示部を備えたことを特徴とするデジタル放送受信信号評価装置。
【請求項８】
請求項６に記載のデジタル放送受信信号評価装置において、
さらに、前記地点等価Ｃ／Ｎリスト生成部により生成されたメディア毎の地点等価Ｃ／Ｎリストに含まれる詳細地点毎の等価Ｃ／Ｎを、その等価Ｃ／Ｎの値に応じた形態で、前記メディア毎に地図上にレイヤー表示する地図表示部を備えたことを特徴とするデジタル放送受信信号評価装置。
【請求項９】
請求項８に記載のデジタル放送受信信号評価装置において、
前記地図表示部は、全ての前記メディアの同一詳細地点における等価Ｃ／Ｎのうち、最も値の小さい等価Ｃ／Ｎを抽出し、前記抽出した等価Ｃ／Ｎを前記詳細地点における統合した等価Ｃ／Ｎとして、その等価Ｃ／Ｎの値に応じた形態で地図上に表示する、
ことを特徴とするデジタル放送受信信号評価装置。
【請求項１０】
デジタル放送を再送信する受信点における信号品質を、最適な受信点の探索のために評価するデジタル放送受信信号評価方法において、
受信局の候補となる放送局を希望局としたときの全ての希望局に対して、前記受信点の候補となる複数の詳細地点毎に電界を計算し、詳細地点の電界を含む希望局地点電界リストを生成するステップと、
前記全ての希望局に対して、予め設定された検討地点と前記詳細地点との間の距離、及び詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力するステップと、
前記受信局と同一チャンネル及び同一メディアの希望局を前記全ての希望局から抽出し、抽出した希望局をＳＦＮ局として、前記ＳＦＮ局に対する詳細地点毎の電界を含むＳＦＮ局地点電界リストを出力するステップと、
前記受信局の放送波に対して干渉波を伝送する放送局を妨害局としたときの全ての妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するステップと、
前記全ての妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するステップと、
前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成するステップと、
を有することを特徴とするデジタル放送受信信号評価方法。
【請求項１１】
デジタル放送を再送信する受信点における信号品質を、最適な受信点の探索のために評価するデジタル放送受信信号評価プログラムであって、コンピュータに、
受信局の候補となる放送局を希望局としたときの全ての希望局に対して、前記受信点の候補となる複数の詳細地点毎に電界を計算し、詳細地点の電界を含む希望局地点電界リストを生成するステップと、
前記全ての希望局に対して、予め設定された検討地点と前記詳細地点との間の距離、及び詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力するステップと、
前記受信局と同一チャンネル及び同一メディアの希望局を前記全ての希望局から抽出し、抽出した希望局をＳＦＮ局として、前記ＳＦＮ局に対する詳細地点毎の電界を含むＳＦＮ局地点電界リストを出力するステップと、
前記受信局の放送波に対して干渉波を伝送する放送局を妨害局としたときの全ての妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するステップと、
前記全ての妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するステップと、
前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成するステップと、
を実行させることを特徴とするデジタル放送受信信号評価プログラム。
【発明の詳細な説明】
【技術分野】
【０００１】
本発明は、デジタル放送受信信号評価装置、評価方法及び評価プログラムに関し、特に、地上デジタル放送を再送信するために必要な放送波の受信点における信号品質を評価し、受信点として最適な場所を探索する技術に関する。
【背景技術】
【０００２】
ギャップフィラーや無線共聴等を行う極微小電力局（以下、まとめて「ＧＦ（Ｇａｐ  Ｆｉｌｌｅｒ）」という。）は、地上デジタル放送を再送信するための重要な中継局である。従来、ＧＦの受信局（ＧＦの親となる中継放送局）が設置される最適な場所は、送信技術者によって、地図上に描かれた電界分布に基づいて受信点における信号の品質を評価し、各受信点の優劣を判断することにより決定していた。このような決定手法は、熟練の送信技術者の経験と勘に依存するところが大きい。このため、画一的な手法により、ＧＦが設置される最適な場所を決定することが望まれていた。
【０００３】
尚、地上デジタル放送信号の伝送方式については、例えば、非特許文献１に記載されている。また、ＧＦの受信局が設置される最適な場所を探索するための技術ではないが、ＣＮ比等を用いて地上デジタル放送信号を評価する技術については、例えば、特許文献１〜３に記載されている。
【０００４】
【非特許文献１】地上デジタルテレビジョン放送の伝送方式、標準規格  ＡＲＩＢ  ＳＴＤ−Ｂ３１、社団法人  電波産業界
【特許文献１】特開２００６−２４６０８３号公報
【特許文献２】特開２００６−２４６０８２号公報
【特許文献３】特開２００６−１５７３３３号公報
【発明の開示】
【発明が解決しようとする課題】
【０００５】
しかしながら、従来の手法では、熟練の送信技術者の経験と勘に依存するところが大きかったことから、決定される最適な場所は送信技術者によって異なる場合があった。また、従来の手法では、受信点における信号品質の評価は、他の中継放送局からの妨害波による影響を考慮したものではなく、さらに、受信点における混信状況が放送事業者（メディア）毎に異なるにもかかわらず、メディアの違いの影響を考慮したものではなかった。
【０００６】
このため、信号品質が適切でない受信点を最適な場所として決定してしまう可能性があった。また、熟練の送信技術者による経験と勘に頼らざるをえなくなり、さらに、妨害波及びメディアの要素を考慮して信号品質を評価し、適切な信号品質となる最適な場所を決定する作業を効率的に行うことが困難であった。
【０００７】
そこで、前記課題を解決するため、本発明の目的は、最適な受信点を探索する際に、デジタル放送受信信号の品質を、送信技術者の経験と勘に頼ることなく、効率的かつ容易に評価可能なデジタル放送受信信号評価装置、評価方法及びプログラムを提供することにある。
【課題を解決するための手段】
【０００８】
前記課題を解決するため、請求項１の発明は、デジタル放送を再送信する受信点における信号品質を評価するデジタル放送受信信号評価装置において、前記受信点の候補となる複数の詳細地点に関するデータを含む詳細地点リストを生成する詳細地点リスト生成部と、受信局の候補となる放送局を希望局として、複数の希望局に関するデータを含む希望局リストを生成する希望局リスト生成部と、前記希望局リストに含まれる全ての希望局に対して、前記詳細地点リストに含まれる詳細地点毎に電界を計算し、詳細地点の電界を含む希望局地点電界リストを生成する希望局地点電界リスト生成部と、前記全ての希望局に対して、予め設定された検討地点と前記詳細地点との間の距離、及び前記希望局地点電界リストにおける詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力する受信局決定部と、前記受信局と同一チャンネル及び同一メディアの希望局を前記全ての希望局から抽出し、抽出した希望局をＳＦＮ（Ｓｉｎｇｌｅ  Ｆｒｅｑｕｅｎｃｙ  Ｎｅｔｗｏｒｋ）局として、前記ＳＦＮ局に対する詳細地点毎の電界を含むＳＦＮ局地点電界リストを出力する同一チャンネル局抽出部と、前記受信局の放送波に対して干渉波を伝送する放送局を妨害局として、前記複数の妨害局に関するデータを含む妨害局リストを生成する妨害局リスト生成部と、前記妨害局リストに含まれる妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するアナログ妨害局地点電界リスト生成部と、前記妨害局リストに含まれる妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するデジタル妨害局地点電界リスト生成部と、前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成する地点等価Ｃ／Ｎリスト生成部と、を備えたことを特徴とする。
【０００９】
また、請求項２の発明は、請求項１に記載のデジタル放送受信信号評価装置において、前記受信局決定部が、予め設定された検討地点と前記詳細地点との間の距離、及び前記希望局地点電界リストにおける詳細地点の電界の値に基づいて、前記検討地点の近くに電界の値が大きい詳細地点が存在する度合いを示す重みを計算し、前記計算した全ての希望局の重みのうち、最も値の大きい希望局を受信局に決定する、ことを特徴とする。
【００１０】
また、請求項３の発明は、請求項１または２に記載のデジタル放送受信信号評価装置において、前記妨害局リスト生成部が、前記受信局と同一チャンネル及び異なるメディアの放送局を妨害局とする、ことを特徴とする。
【００１１】
また、請求項４の発明は、請求項１から３までのいずれか一項に記載のデジタル放送受信信号評価装置において、前記地点等価Ｃ／Ｎリスト生成部が、前記受信局地点電界リストに基づいて、受信機雑音の等価Ｃ／Ｎを計算する受信機雑音Ｃ／Ｎ計算部と、前記受信局地点電界リスト及びＳＦＮ局地点電界リストに基づいて、ＳＦＮ干渉波が存在する場合の等価Ｃ／Ｎを計算するＳＦＮ局地点等価Ｃ／Ｎ計算部と、前記受信局地点電界リスト及びアナログ妨害局地点電界リストに基づいて、アナログ干渉波が存在する場合の等価Ｃ／Ｎを計算するアナログ妨害局地点等価Ｃ／Ｎ計算部と、前記受信局地点電界リスト及びデジタル妨害局地点電界リストに基づいて、デジタル干渉波が存在する場合の等価Ｃ／Ｎを計算するデジタル妨害局地点等価Ｃ／Ｎ計算部と、前記受信機雑音Ｃ／Ｎ計算部、ＳＦＮ局地点等価Ｃ／Ｎ計算部、アナログ妨害局地点等価Ｃ／Ｎ計算部及びデジタル妨害局地点等価Ｃ／Ｎ計算部によりそれぞれ計算された等価Ｃ／Ｎを電力加算するＣ／Ｎ電力加算部と、を備えたことを特徴とする。
【００１２】
また、請求項５の発明は、請求項４に記載のデジタル放送受信信号評価装置において、前記地点等価Ｃ／Ｎリスト生成部のＳＦＮ局地点等価Ｃ／Ｎ計算部が、前記ＳＦＮ局地点電界リストに基づいて、前記詳細地点についてのＧＩ（Ｇｕａｒｄ  Ｉｎｔｅｒｖａｌ）内外判定を行うＳＦＮ波ＧＩ内外判定部と、前記受信局地点電界リスト、及び前記ＳＦＮ波ＧＩ内外判定部によりＧＩ外であると判定された詳細地点における電界のデータに基づいて、ＳＦＮのＧＩ外波が存在する場合の等価Ｃ／Ｎを計算するＳＦＮ波ＧＩ外干渉波等価Ｃ／Ｎ計算部と、前記受信局地点電界リスト、及び前記ＳＦＮ波ＧＩ内外判定部によりＧＩ内であると判定された詳細地点における電界のデータに基づいて、ＳＦＮのＧＩ内波が存在する場合の等価Ｃ／Ｎを計算するＳＦＮ波ＧＩ内干渉波等価Ｃ／Ｎ計算部と、前記ＳＦＮ波ＧＩ外干渉波等価Ｃ／Ｎ計算部により計算された等価Ｃ／Ｎと、前記ＳＦＮ波ＧＩ内干渉波等価Ｃ／Ｎ計算部により計算された等価Ｃ／Ｎとを合算して、ＳＦＮ干渉波が存在する場合の等価Ｃ／Ｎを算出する等価Ｃ／Ｎ合算部と、を備えたことを特徴とする。
【００１３】
また、請求項６の発明は、請求項１から５までのいずれか一項に記載のデジタル放送受信信号評価装置において、前記地点等価Ｃ／Ｎリスト生成部が、メディア毎に、前記全ての詳細地点の等価Ｃ／Ｎを含む地点等価Ｃ／Ｎリストを生成する、ことを特徴とする。
【００１４】
また、請求項７の発明は、請求項１から６までのいずれか一項に記載のデジタル放送受信信号評価装置において、さらに、前記地点等価Ｃ／Ｎリスト生成部により生成された地点等価Ｃ／Ｎリストに含まれる詳細地点毎の等価Ｃ／Ｎを、その等価Ｃ／Ｎの値に応じた形態で地図上に表示する地図表示部を備えたことを特徴とする。
【００１５】
また、請求項８の発明は、請求項６に記載のデジタル放送受信信号評価装置において、さらに、前記地点等価Ｃ／Ｎリスト生成部により生成されたメディア毎の地点等価Ｃ／Ｎリストに含まれる詳細地点毎の等価Ｃ／Ｎを、その等価Ｃ／Ｎの値に応じた形態で、前記メディア毎に地図上にレイヤー表示する地図表示部を備えたことを特徴とする。
【００１６】
また、請求項９の発明は、請求項８に記載のデジタル放送受信信号評価装置において、前記地図表示部が、全ての前記メディアの同一詳細地点における等価Ｃ／Ｎのうち、最も値の小さい等価Ｃ／Ｎを抽出し、前記抽出した等価Ｃ／Ｎを前記詳細地点における統合した等価Ｃ／Ｎとして、その等価Ｃ／Ｎの値に応じた形態で地図上に表示する、ことを特徴とする。
【００１７】
また、請求項１０の発明は、デジタル放送を再送信する受信点における信号品質を、最適な受信点の探索のために評価するデジタル放送受信信号評価方法において、受信局の候補となる放送局を希望局としたときの全ての希望局に対して、前記受信点の候補となる複数の詳細地点毎に電界を計算し、詳細地点の電界を含む希望局地点電界リストを生成するステップと、前記全ての希望局に対して、予め設定された検討地点と前記詳細地点との間の距離、及び詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力するステップと、前記受信局と同一チャンネル及び同一メディアの希望局を前記全ての希望局から抽出し、抽出した希望局をＳＦＮ局として、前記ＳＦＮ局に対する詳細地点毎の電界を含むＳＦＮ局地点電界リストを出力するステップと、前記受信局の放送波に対して干渉波を伝送する放送局を妨害局としたときの全ての妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するステップと、前記全ての妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するステップと、前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成するステップと、を有することを特徴とする。
【００１８】
また、請求項１１の発明は、デジタル放送を再送信する受信点における信号品質を、最適な受信点の探索のために評価するデジタル放送受信信号評価プログラムであって、コンピュータに、受信局の候補となる放送局を希望局としたときの全ての希望局に対して、前記受信点の候補となる複数の詳細地点毎に電界を計算し、詳細地点の電界を含む希望局地点電界リストを生成するステップと、前記全ての希望局に対して、予め設定された検討地点と前記詳細地点との間の距離、及び詳細地点の電界の値に基づいて重みを計算するか、または検討地点における希望局の電界の値を重みとし、前記重みに基づいて、全ての希望局のうちの１つの希望局を受信局に決定し、前記受信局に対する詳細地点毎の電界を含む受信局地点電界リストを出力するステップと、前記受信局と同一チャンネル及び同一メディアの希望局を前記全ての希望局から抽出し、抽出した希望局をＳＦＮ局として、前記ＳＦＮ局に対する詳細地点毎の電界を含むＳＦＮ局地点電界リストを出力するステップと、前記受信局の放送波に対して干渉波を伝送する放送局を妨害局としたときの全ての妨害局のうち、アナログ干渉波を伝送する妨害局をアナログ妨害局とし、全てのアナログ妨害局に対して、前記詳細地点毎の電界を計算し、詳細地点の電界を含むアナログ妨害局地点電界リストを生成するステップと、前記全ての妨害局のうち、デジタル干渉波を伝送する妨害局をデジタル妨害局とし、全てのデジタル妨害局に対して、前記詳細地点毎の電界を計算し、詳細地点の電界を含むデジタル妨害局地点電界リストを生成するステップと、前記受信局地点電界リスト、ＳＦＮ局地点電界リスト、アナログ妨害局地点電界リスト及びデジタル妨害局地点電界リストに基づいて、前記詳細地点毎の等価Ｃ／Ｎを計算し、全ての詳細地点の等価Ｃ／Ｎを含む地点等価Ｃ／Ｎリストを生成するステップと、を実行させることを特徴とする。
【発明の効果】
【００１９】
以上のように、本発明によれば、ＳＦＮ干渉波、アナログ干渉波及びデジタル干渉波の妨害波を考慮して、全ての詳細地点の等価Ｃ／Ｎを含む地点等価Ｃ／Ｎリストを生成するようにした。これにより、全ての詳細地点のうちの最適な受信点を探索する際に、デジタル放送受信信号の品質を、送信技術者の経験と勘に頼ることなく、効率的かつ容易に評価することができる。
【発明を実施するための最良の形態】
【００２０】
以下、本発明を実施するための最良の形態について図面を用いて詳細に説明する。
〔デジタル放送受信信号評価装置〕
まず、デジタル放送受信信号評価装置の構成、及び各構成部の処理について説明する。図１は、本発明の実施形態によるデジタル放送受信信号評価装置の構成を示すブロック図である。このデジタル放送受信信号評価装置１は、メディア毎地点Ｃ／Ｎリスト生成部２及び地図表示部３を備えている。
【００２１】
デジタル放送受信信号評価装置１は、検討メディアリスト、放送局ＤＢ（データベース）、検討地点（緯度及び経度）及び検討範囲を入力し、検討メディアリストにおけるメディア毎に、検討地点及び検討範囲から生成した複数の詳細地点について、放送局ＤＢのデータに基づいて地点等価Ｃ／Ｎリストを生成し、メディア毎にその地点等価Ｃ／Ｎリストを表示すると共に、全てのメディアを統合した結果を表示するものである。地点等価Ｃ／Ｎリストは、従来のような地図上に示された単なる電界分布とは異なり、他の中継放送局からのＳＦＮ干渉波、アナログ干渉波及びデジタル干渉波である妨害波による影響を考慮した、各詳細地点の等価Ｃ／Ｎから構成され、メディア毎に生成される。これにより、最適な受信点を探索する際に、他の中継放送局からの妨害波による影響を考慮した地点等価Ｃ／Ｎリストに基づいて、各詳細地点の優劣を評価することができる。また、混信状況が異なるメディアの違いを考慮した地点等価Ｃ／Ｎリストに基づいて、各詳細地点の優劣を評価することができる。
【００２２】
〔メディア毎地点Ｃ／Ｎリスト生成部〕
以下、デジタル放送受信信号評価装置１の各構成部について説明する。メディア毎地点Ｃ／Ｎリスト生成部２は、希望局リスト生成部２０、詳細地点リスト生成部２１、希望局地点電界リスト生成部２２、受信局決定部２３、同一チャンネル局抽出部２４、妨害局リスト生成部２５、アナログ妨害局地点電界リスト生成部２６、デジタル妨害局地点電界リスト生成部２７及び地点等価Ｃ／Ｎリスト生成部２８を備えている。
【００２３】
メディア毎地点Ｃ／Ｎリスト生成部２は、検討メディアリスト、放送局ＤＢ、検討地点及び検討範囲を入力し、検討メディアリストにおけるメディア毎に、検討地点及び検討範囲から生成した複数の詳細地点について、放送局ＤＢのデータに基づいて地点等価Ｃ／Ｎリストを生成し、そのメディア毎の地点等価Ｃ／Ｎリストを地図表示部３に出力する。
【００２４】
検討メディアリストは、検討対象となるメディアのデータから構成され、デジタル放送受信信号評価装置１に備えた記憶装置（図示せず）に格納されている。例えば、ＤＧ（デジタル総合）、ＤＥ（デジタル教育）、ＤＰ１（デジタル民放１）、ＤＰ２（デジタル民放２）等のデジタル波のメディアである。検討対象となるメディアは、例えば、最適な受信点を探索する際に、オペレータの操作により入力される。
【００２５】
放送局ＤＢは、放送局毎の名称、局コード、メディア、チャンネル、位置情報（緯度及び経度）等から構成され、デジタル放送受信信号評価装置１に備えた記憶装置（図示せず）に格納されている。メディアには、例えば、ＤＧ（デジタル総合）、ＤＥ（デジタル教育）、ＤＰ１（デジタル民放１）、ＤＰ２（デジタル民放２）等のデジタル波のメディア、及び、ＡＧ（アナログ総合）、ＡＥ（アナログ教育）、ＡＰ１（アナログ民放１）、ＡＰ２（アナログ民放２）等のアナログ波のメディアがある。
【００２６】
検討地点は、最適な受信点を探索する際に基準となる地点であり、緯度及び経度からなる位置情報である。デジタル放送受信信号評価装置１により、この検討地点を中心とした各地点（詳細地点：受信点）について、信号品質が評価される。検討範囲は、検討地点を中心として、所定の地点を特定するための範囲であり、例えば、縦及び横の距離を示すデータである。検討地点及び検討範囲は、例えば、最適な受信点を探索する際に、オペレータの操作により入力される。
【００２７】
希望局リスト生成部２０は、検討メディアリスト、放送局ＤＢ及び検討地点を入力し、放送局ＤＢを参照し、検討地点を中心とした所定範囲内にある放送局のうち、検討メディアリストにおけるメディアの条件に合致する放送局を希望局として抽出する。そして、抽出した放送局からなる希望局リストＬ１を生成し、希望局地点電界リスト生成部２２に出力する。具体的には、希望局リスト生成部２０は、検討地点を中心にして、予め設定された距離Ｘ（ｋｍ）の範囲内の放送局を、放送局ＤＢに含まれる放送局の位置情報から選定し、その放送局のメディアと、検討メディアリストにおけるメディアとが合致する放送局を抽出し、この抽出した放送局を希望局として希望局リストＬ１を生成し、出力する。希望局リストＬ１は、放送局の名称、局コード、メディア、チャンネル、位置情報等から構成される。
【００２８】
詳細地点リスト生成部２１は、検討地点及び検討範囲を入力し、検討地点を中心とした検討範囲について、予め設定されたＸ秒単位にその検討範囲内を区切り、詳細地点リストＬ２を生成し、希望局地点電界リスト生成部２２、アナログ妨害局地点電界リスト生成部２６及びデジタル妨害局地点電界リスト生成部２７に出力する。詳細地点は、後述する図４に示すように、検討範囲内の各地点をいい、詳細地点リストＬ２は、検討範囲内における各詳細地点の位置情報（緯度及び経度）から構成される。
【００２９】
希望局地点電界リスト生成部２２は、希望局リスト生成部２０から希望局リストＬ１を、詳細地点リスト生成部２１から詳細地点リストＬ２をそれぞれ入力し、希望局リストＬ１の全ての希望局に対し、詳細地点リストＬ２の全ての詳細地点における電界を計算し、希望局地点電界リストＬ３を生成し、受信局決定部２３に出力する。具体的には、希望局地点電界リスト生成部２２は、希望局の位置情報及び詳細地点の位置情報からこれらの間のプロフィールを作成し、予め設定されたデータ（希望局からの距離と電界の関係や遮蔽物がある時の伝搬特性が定義されたデータ）を参照して、希望局に対する詳細地点の電界を計算する。これについては、例えば、本願人による特許第３４０３７０１号公報に記載の方法を適用して計算できる。希望局地点電界リストＬ３は、希望局毎に、その希望局に対する各詳細地点における電界のデータ、及び希望局リストＬ１のデータ（放送局の名称、局コード、メディア、チャンネル、位置情報等）等から構成される。
【００３０】
受信局決定部２３は、希望局地点電界リスト生成部２２から希望局地点電界リストＬ３を入力し、希望局地点電界リストＬ３の全ての希望局の中から１つの希望局を選定し、その希望局を受信局に決定し、決定した受信局の受信局地点電界リストＬ６を地点等価Ｃ／Ｎリスト生成部２８に出力し、決定した受信局のデータを妨害局リスト生成部２５に出力する。また、決定した受信局以外の希望局地点電界リストを同一チャンネル局抽出部２４に出力する。受信局地点電界リストＬ６は、決定した受信局に対する各詳細地点における電界のデータから構成される。
【００３１】
ここで、受信局を決定する処理について説明する。全ての希望局の中から１つの希望局を選定する処理（受信局を決定する処理）は、全ての希望局に対して重みを計算し、その重みが最も大きい希望局を受信局に決定するものである。その重みは、後述するように、全ての詳細地点について、検討地点からの距離に対する電界値の大きさの度合いを合算したものである。つまり、重みは、詳細地点が検討地点に近く、かつ、詳細地点の電界値が大きい程大きくなるので、このような詳細地点の多い希望局が選定される。
【００３２】
希望局の集合Ｓ、及び、希望局に対する検討範囲内の詳細地点の集合Ｐｉを以下に示す。
Ｓ＝｛ｓｉ｜ｓ１，ｓ２，ｓ３，・・・，ｓＭ｝  （１≦ｉ≦Ｍ）
Ｐｉ＝｛ｐｉ１，ｐｉ２，・・・，ｐｉｊ，・・・，ｐｉＮ｝  （１≦ｊ≦Ｎ）
詳細地点ｐｉｊのうち、希望局ｓｉに対する電界が５１（ｄＢｆ）以上となる詳細地点の集合Ｐ５１ｉを以下に示す。
Ｐ５１ｉ＝｛ｐｉｊ｜電界が５１（ｄＢｆ）以上となるもの｝
つまり、以下の式となる。
Ｐ５１ｉ＝｛ｐ５１ｉ１，ｐ５１ｉ２，ｐ５１ｉ３，・・・，ｐ５１ｉＬ｝
集合Ｐ５１ｉの要素数（地点数）Ｌを以下に示す。
Ｌ＝｜Ｐ５１ｉ｜
【００３３】
希望局ｓｉの重みｗｉは、以下の式により求めることができる。
【数１】
0004791511.tif 000002
ｅｉｋ（ｄＢｆ）は、詳細地点ｐ５１ｉｋにおける希望局ｓｉに対する電界値を示し、ｄｉｋ（ｋｍ）は、検討地点から詳細地点ｐ５１ｉｋまでの距離を示す。
【００３４】
このように、受信局決定部２３は、希望局ｓｉ毎に重みｗｉを計算し、その重みｗｉが最も大きい希望局ｓｉを受信局に決定する。そして、受信局決定部２３は、入力した希望局地点電界リストＬ３のうち、決定した受信局についての希望局地点電界リスト、すなわち受信局地点電界リストＬ６を地点等価Ｃ／Ｎリスト生成部２８に出力する。また、上記の重みは詳細地点の電界と検討地点からの距離から求めたが、地形によっては検討地点における電界値を重みとすることが適当な場合もある。その場合は、検討地点の位置入力の際に指定する。
【００３５】
図２は、受信局を決定する処理を説明するイメージ図である。図２において、検討地点は、通常、送信機が設置される再送信地点であるとして、その緯度及び経度が設定されている。この検討地点からの距離が短い地点に受信点をおいた方が、受信点から検討地点までプログラム（番組）を伝送する距離が短くて済むため、設備規模的及びコスト的に有利である。したがって、検討地点周辺に希望局が複数ある場合は、検討地点の近くでより強電界となる希望局を受信局に決定する。
【００３６】
このように、本発明の実施形態によるデジタル放送受信信号評価装置１によれば、受信局決定部２３が、希望局に対する電界分布に基づいた重み付けを希望局毎に行い、その重みが最も大きい希望局を受信局に決定するようにした。従来は、送信技術者の経験と勘により受信局を決定していたが、本発明の実施形態では、希望局に対する電界分布に基づいた最適な受信局を自動的に決定する。したがって、送信技術者の経験と勘に頼ることなく、効率的かつ容易に受信局を決定することができる。
【００３７】
図１に戻って、同一チャンネル局抽出部２４は、受信局決定部２３から受信局以外の希望局地点電界リストを入力し、そのリストに含まれる希望局のチャンネルのデータを参照し、受信局決定部２３が決定した受信局のチャンネルと同一のチャンネルを有し、かつ、受信局のメディアと同一のメディアを有する希望局を抽出し、その抽出した希望局をＳＦＮ局とし、そのＳＦＮ局の希望局地点電界リストをＳＦＮ局地点電界リストＬ７として地点等価Ｃ／Ｎリスト生成部２８に出力する。ＳＦＮ局地点電界リストＬ７は、ＳＦＮ局毎に、そのＳＦＮ局に対する各詳細地点における電界のデータ、及びそのＳＦＮ局における希望局リストＬ３のデータ（放送局の名称、局コード、メディア、チャンネル、位置情報等）等から構成される。
【００３８】
妨害局リスト生成部２５は、受信局決定部２３により決定された受信局のデータを入力すると共に、放送局ＤＢ及び検討地点を入力し、放送局ＤＢを参照し、検討地点を中心とした所定範囲内にある放送局のうち、受信局における所定の条件に合致する放送局を抽出する。そして、抽出した放送局のうち、アナログ波のメディアを有する放送局からなるアナログ妨害局リストＬ４を生成し、アナログ妨害局地点電界リスト生成部２６に出力する。また、抽出した放送局のうち、デジタル波のメディアを有する放送局からなるデジタル妨害局リストＬ５を生成し、デジタル妨害局地点電界リスト生成部２７に出力する。
【００３９】
具体的には、妨害局リスト生成部２５は、検討地点を中心にして、予め設定された距離Ｘ（ｋｍ）の範囲内の放送局を、放送局ＤＢに含まれる放送局の位置情報から選定し、選定した放送局のうち、受信局と同一のチャンネルを有する放送局であって、かつ、受信局と同一でないメディアを有する放送局を抽出する。そして、抽出した放送局のうち、アナログ波のメディアを有する放送局をさらに抽出し、この放送局に関するデータからなるアナログ妨害局リストＬ４を生成し、アナログ妨害局地点電界リスト生成部２６に出力する。また、抽出した放送局のうち、デジタル波のメディアを有する放送局をさらに抽出し、この放送局に関するデータからなるデジタル妨害局リストＬ５を生成し、デジタル妨害局地点電界リスト生成部２７に出力する。アナログ妨害局リストＬ４及びデジタル妨害局リストＬ５は、放送局の名称、局コード、メディア、チャンネル、位置情報等から構成される。
【００４０】
アナログ妨害局地点電界リスト生成部２６は、妨害局リスト生成部２５からアナログ妨害局リストＬ４を、詳細地点リスト生成部２１から詳細地点リストＬ２をそれぞれ入力し、アナログ妨害局リストＬ４の全ての妨害局に対し、詳細地点リストＬ２の全ての詳細地点における電界を計算し、アナログ妨害局地点電界リストＬ８を生成し、地点等価Ｃ／Ｎリスト生成部２８に出力する。具体的には、アナログ妨害局地点電界リスト生成部２６は、妨害局の位置情報及び詳細地点の位置情報からこれらの間のプロフィールを作成し、予め設定されたデータ（妨害局からの距離と電界の関係や遮蔽物がある時の伝搬特性が定義されたデータ）を参照して、妨害局に対する詳細地点の電界を計算する。アナログ妨害局地点電界リストＬ８は、妨害局毎に、その妨害局に対する各詳細地点における電界のデータ、及びアナログ妨害局リストＬ４のデータ（放送局の名称、局コード、メディア、チャンネル、位置情報等）等から構成される。
【００４１】
デジタル妨害局地点電界リスト生成部２７は、妨害局リスト生成部２５からデジタル妨害局リストＬ５を、詳細地点リスト生成部２１から詳細地点リストＬ２をそれぞれ入力し、デジタル妨害局リストＬ５の全ての妨害局に対し、詳細地点リストＬ２の全ての詳細地点における電界を計算し、デジタル妨害局地点電界リストＬ９を生成し、地点等価Ｃ／Ｎリスト生成部２８に出力する。具体的には、デジタル妨害局地点電界リスト生成部２７は、アナログ妨害局地点電界リスト生成部２６と同様に、妨害局の位置情報及び詳細地点の位置情報からこれらの間のプロフィールを作成し、予め設定されたデータ（妨害局からの距離と電界の関係や遮蔽物がある時の伝搬特性が定義されたデータ）を参照して、妨害局に対する詳細地点の電界を計算する。デジタル妨害局地点電界リストＬ９は、アナログ妨害局地点電界リストＬ８と同様に、妨害局毎に、その妨害局に対する各詳細地点における電界のデータ、及びデジタル妨害局リストＬ５のデータ等から構成される。
【００４２】
地点等価Ｃ／Ｎリスト生成部２８は、地点等価Ｃ／Ｎ計算部２９を備えており、受信局決定部２３から受信局地点電界リストＬ６を、同一チャンネル局抽出部２４からＳＦＮ局地点電界リストＬ７を、アナログ妨害局地点電界リスト生成部２６からアナログ妨害局地点電界リストＬ８を、及びデジタル妨害局地点電界リスト生成部２７からデジタル妨害局地点電界リストＬ９をそれぞれ入力し、地点等価Ｃ／Ｎ計算部２９によって全ての詳細地点について等価Ｃ／Ｎを計算し、メディア毎の地点等価Ｃ／ＮリストＬ１０を生成し、地図表示部３に出力する。
【００４３】
図３は、図１に示した地点等価Ｃ／Ｎリスト生成部２８の構成を示すブロック図である。この地点等価Ｃ／Ｎリスト生成部２８は、詳細地点リストＬ２における全ての詳細地点について等価Ｃ／Ｎの計算を行う地点等価Ｃ／Ｎ計算部２９を備えている。
【００４４】
地点等価Ｃ／Ｎ計算部２９は、計算対象となる詳細地点についての受信局地点電界リストＬ６、ＳＦＮ局地点電界リストＬ７、アナログ妨害局地点電界リストＬ８及びデジタル妨害局地点電界リストＬ９を入力し、詳細地点毎に総合等価Ｃ／Ｎを計算して地点等価Ｃ／ＮリストＬ１０を出力する。総合等価Ｃ／Ｎは、ＳＦＮ干渉波、アナログ干渉波及びデジタル干渉波の影響が反映されており、ＳＦＮ局地点電界リストＬ７、アナログ妨害局地点電界リストＬ８及びデジタル妨害局地点電界リストＬ９について該当するＳＦＮ局、アナログ妨害局及びデジタル妨害局が複数存在する場合は、全ての影響が反映されている。
【００４５】
このように、本発明の実施形態によるデジタル放送受信信号評価装置１によれば、地点等価Ｃ／Ｎリスト生成部２８の地点等価Ｃ／Ｎ計算部２９が、詳細地点毎に、ＳＦＮ干渉波、アナログ干渉波及びデジタル干渉波の影響を考慮した総合等価Ｃ／Ｎを計算するようにした。従来は、送信技術者が地図上に表された希望波の電界分布のみから最適な受信点を探索していたが、本発明の実施形態では、希望波の電界分布に加えて、ＳＦＮ干渉波、アナログ干渉波及びデジタル干渉波の電界分布を考慮した総合等価Ｃ／Ｎを計算する。すなわち、本発明の実施形態では、様々な干渉要因を総合的に考慮したデータに基づいて、最適な受信点を探索することができる。したがって、送信技術者の経験と勘に頼ることなく、効率的かつ容易に受信点を探索することができる。
【００４６】
以下、図３を参照して、地点等価Ｃ／Ｎ計算部２９について詳細に説明する。地点等価Ｃ／Ｎ計算部２９は、受信機雑音Ｃ／Ｎ計算部２９０、ＳＦＮ局地点等価Ｃ／Ｎ計算部２９１、アナログ妨害局地点等価Ｃ／Ｎ計算部２９７、デジタル妨害局地点等価Ｃ／Ｎ計算部３０１及びＣ／Ｎ電力加算部２９６，３００，３０４を備えている。
【００４７】
受信機雑音Ｃ／Ｎ計算部２９０は、受信局地点電界リストＬ６を入力し、詳細地点における電界のデータと、予め設定された受信機自体の雑音等のデータとに基づいて受信機雑音Ｃ／Ｎを計算し、全ての詳細地点における受信機雑音Ｃ／ＮをＣ／Ｎ電力加算部２９６に出力する。
【００４８】
ＳＦＮ局地点等価Ｃ／Ｎ計算部２９１は、ＳＦＮ波ＧＩ内外判定部２９２、ＳＦＮ波ＧＩ外干渉波等価Ｃ／Ｎ計算部２９３、ＳＦＮ波ＧＩ内干渉波等価Ｃ／Ｎ計算部２９４及び等価Ｃ／Ｎ合算部２９５を備えている。ＳＦＮ局地点等価Ｃ／Ｎ計算部２９１は、計算対象となる詳細地点についての受信局地点電界リストＬ６及びＳＦＮ局地点電界リストＬ７を入力し、ＳＦＮ波が存在する場合の等価Ｃ／Ｎを計算してＣ／Ｎ電力加算部２９６に出力する。この場合、ＳＦＮ波についてＧＩ内外判定を行い、ＧＩ内波及びＧＩ外波のそれぞれに対して個別の計算式により等価Ｃ／Ｎを算出して合算する。尚、ＳＦＮ局地点電界リストＬ７について該当するＳＦＮ局が複数存在する場合は、全てのＳＦＮ局に対する等価Ｃ／Ｎを求めて合算する。
【００４９】
ＳＦＮ波ＧＩ内外判定部２９２は、ＳＦＮ局地点電界リストＬ７を入力し、計算対象となる詳細地点についてＧＩ内外判定を行う。そして、詳細地点のＳＦＮ干渉波がＧＩ外であると判定した場合、その詳細地点における電界のデータをＳＦＮ波ＧＩ外干渉波等価Ｃ／Ｎ計算部２９３に出力し、詳細地点のＳＦＮ干渉波がＧＩ内であると判定した場合、その詳細地点における電界のデータをＳＦＮ波ＧＩ内干渉波等価Ｃ／Ｎ計算部２９４に出力する。
【００５０】
具体的には、ＳＦＮ波ＧＩ内外判定部２９２は、ＳＦＮ局毎に予め設定された電波発射遅延時間、及びＳＦＮ局と詳細地点との間の伝播距離を用いてＳＦＮ干渉波の伝播時間を算出し、受信局における予め設定された電波発射遅延時間、及び受信局と詳細地点との間の伝播距離を用いて受信局波（希望波）の伝播時間を算出する。そして、これらの伝播時間に基づいて、受信局波とＳＦＮ干渉波との間の時間差を計算し、その時間差が所定範囲内にない場合に、その詳細地点のＳＦＮ干渉波がＧＩ外であると判定し、その時間差が所定範囲内にある場合に、その詳細地点のＳＦＮ干渉波がＧＩ内であると判定する。このように、詳細地点毎にＧＩ内外の判定が行われる。
【００５１】
ＳＦＮ波ＧＩ外干渉波等価Ｃ／Ｎ計算部２９３は、受信局地点電界リストＬ６を入力すると共に、ＳＦＮ波ＧＩ内外判定部２９２によりＧＩ外であると判定された詳細地点における電界のデータを入力し、ＳＦＮのＧＩ外波が存在する場合の等価Ｃ／Ｎを計算し、等価Ｃ／Ｎ合算部２９５に出力する。
【００５２】
ＳＦＮのＧＩ外波が存在する場合の等価Ｃ／Ｎは、以下の計算式により算出される。
ＣＮ＝ＤＵ
ＤＵ＝Ｅｄ−（Ｅｕ−ＡＴＴ）
ＣＮはＳＦＮのＧＩ外波が存在する場合の等価Ｃ／Ｎ（ｄＢ）、ＤＵは希望波のＧＩ外波（干渉波）に対するＤ／Ｕ（ｄＢ）、Ｅｄは希望波の電界（ｄＢｆ）、ＥｕはＧＩ外波（干渉波）の電界（ｄＢｆ）、ＡＴＴは受信アンテナの指向性減衰量を示す。Ｅｄは受信局地点電界リストＬ６の電界であり、ＥｕはＳＦＮ波ＧＩ内外判定部２９２から入力した電界である。また、ＡＴＴは予め設定された値である。
【００５３】
ＳＦＮ波ＧＩ内干渉波等価Ｃ／Ｎ計算部２９４は、受信局地点電界リストＬ６を入力すると共に、ＳＦＮ波ＧＩ内外判定部２９２によりＧＩ内であると判定された詳細地点における電界のデータを入力し、ＳＦＮのＧＩ内波が存在する場合の等価Ｃ／Ｎを計算し、等価Ｃ／Ｎ合算部２９５に出力する。
【００５４】
ＳＦＮのＧＩ内波が存在する場合の等価Ｃ／Ｎは、以下の計算式により算出される。
【数２】
0004791511.tif 000003
ＣＮはＳＦＮのＧＩ内波が存在する場合の等価Ｃ／Ｎ（ｄＢ）、ＣＮＳはＳＦＮのＧＩ内波が存在する場合の所要Ｃ／Ｎ劣化量、α，β及びγは係数（α＝１２．０９０４３８８４２７７３４，β＝０．２９５３０９３９４９８００７，γ＝０．９０９６３９２９８９１５８６３）、ＤＵは希望波のＧＩ内波（干渉波）に対するＤ／Ｕ（ｄＢ）、Ｅｄは希望波の電界（ｄＢｆ）、ＥｕはＧＩ内波（干渉波）の電界（ｄＢｆ）、ＡＴＴは受信アンテナの指向性減衰量を示す。Ｅｄは受信局地点電界リストＬ６の電界であり、ＥｕはＳＦＮ波ＧＩ内外判定部２９２から入力した電界である。また、ＡＴＴは予め設定された値である。
【００５５】
等価Ｃ／Ｎ合算部２９５は、ＳＦＮ波ＧＩ外干渉波等価Ｃ／Ｎ計算部２９３からＳＦＮのＧＩ外波が存在する場合の等価Ｃ／Ｎを、ＳＦＮ波ＧＩ内干渉波等価Ｃ／Ｎ計算部２９４からＳＦＮのＧＩ内波が存在する場合の等価Ｃ／Ｎをそれぞれ入力する。そして、これらの等価Ｃ／Ｎを全てのＳＦＮ局について合算し、合算結果の等価Ｃ／ＮをＣ／Ｎ電力加算部２９６に出力する。合算処理には、Ｃ／Ｎ電力加算部２９６が加算処理を行う際に用いる加算式と同様の式が用いられる。詳細については後述する。
【００５６】
Ｃ／Ｎ電力加算部２９６は、受信機雑音Ｃ／Ｎ計算部２９０により計算された受信機雑音Ｃ／Ｎ、及び、ＳＦＮ局地点等価Ｃ／Ｎ計算部２９１の等価Ｃ／Ｎ合算部２９５により合算された等価Ｃ／Ｎをそれぞれ入力し、これらを加算し、加算結果の等価Ｃ／ＮをＣ／Ｎ電力加算部３００に出力する。一方の等価Ｃ／ＮをＣＮ１（ｄＢ）、他方の等価Ｃ／ＮをＣＮ２（ｄＢ）とすると、加算結果であるＣＮ電力加算結果は以下の式により求められる。
【数３】
0004791511.tif 000004
【００５７】
アナログ妨害局地点等価Ｃ／Ｎ計算部２９７は、アナログ干渉波等価Ｃ／Ｎ計算部２９８及び等価Ｃ／Ｎ合算部２９９を備えている。アナログ妨害局地点等価Ｃ／Ｎ計算部２９７は、計算対象となる詳細地点についての受信局地点電界リストＬ６及びアナログ妨害局地点電界リストＬ８を入力し、アナログ干渉波が存在する場合の等価Ｃ／Ｎを計算してＣ／Ｎ電力加算部３００に出力する。尚、アナログ妨害局地点電界リストＬ８について該当するアナログ妨害局が複数存在する場合は、全てのアナログ妨害局に対する等価Ｃ／Ｎを求めて合算する。
【００５８】
アナログ干渉波が存在する場合の等価Ｃ／Ｎは、以下の計算式により算出される。
ＣＮ＝０．７３４７＊ＤＵ＋１０．４７６
ＤＵ＝Ｅｄ−（Ｅｕ−ＡＴＴ）
ＣＮはアナログ干渉波が存在する場合の等価Ｃ／Ｎ（ｄＢ）、ＤＵは希望波のアナログ干渉波に対するＤ／Ｕ（ｄＢ）、Ｅｄは希望波の電界（ｄＢｆ）、Ｅｕはアナログ干渉波の電界（ｄＢｆ）、ＡＴＴは受信アンテナの指向性減衰量を示す。Ｅｄは受信局地点電界リストＬ６の電界であり、Ｅｕはアナログ妨害局地点電界リストＬ８の電界である。また、ＡＴＴは予め設定された値である。尚、前記ＣＮの算出式は、Ｄ／Ｕ及び等価Ｃ／Ｎの関係を表したグラフを実験結果として得て、そのグラフから導出した式である。
【００５９】
等価Ｃ／Ｎ合算部２９９は、アナログ干渉波等価Ｃ／Ｎ計算部２９８からアナログ干渉波が存在する場合の等価Ｃ／Ｎを入力し、全てのアナログ妨害局について合算し、合算結果の等価Ｃ／ＮをＣ／Ｎ電力加算部３００に出力する。合算処理には、前述したＣ／Ｎ電力加算部２９６が加算処理を行う際に用いる加算式と同様の式が用いられる。
【００６０】
Ｃ／Ｎ電力加算部３００は、Ｃ／Ｎ電力加算部２９６により加算された等価Ｃ／Ｎ、及び、アナログ妨害局地点等価Ｃ／Ｎ計算部２９７の等価Ｃ／Ｎ合算部２９９により合算された等価Ｃ／Ｎをそれぞれ入力し、これらを加算し、加算結果の等価Ｃ／ＮをＣ／Ｎ電力加算部３０４に出力する。加算式は、前述したＣ／Ｎ電力加算部２９６による加算式と同じである。
【００６１】
デジタル妨害局地点等価Ｃ／Ｎ計算部３０１は、デジタル干渉波等価Ｃ／Ｎ計算部３０２及び等価Ｃ／Ｎ合算部３０３を備えている。デジタル妨害局地点等価Ｃ／Ｎ計算部３０１は、計算対象となる詳細地点についての受信局地点電界リストＬ６及びデジタル妨害局地点電界リストＬ９を入力し、デジタル干渉波が存在する場合の等価Ｃ／Ｎを計算してＣ／Ｎ電力加算部３０４に出力する。尚、デジタル妨害局地点電界リストＬ９について該当するデジタル妨害局が複数存在する場合は、全てのデジタル妨害局に対する等価Ｃ／Ｎを求めて合算する。
【００６２】
デジタル干渉波が存在する場合の等価Ｃ／Ｎは、以下の計算式により算出される。
ＣＮ＝ＤＵ
ＤＵ＝Ｅｄ−（Ｅｕ−ＡＴＴ）
ＣＮはデジタル干渉波が存在する場合の等価Ｃ／Ｎ（ｄＢ）、ＤＵは希望波のデジタル干渉波に対するＤ／Ｕ（ｄＢ）、Ｅｄは希望波の電界（ｄＢｆ）、Ｅｕはデジタル干渉波の電界（ｄＢｆ）、ＡＴＴは受信アンテナの指向性減衰量を示す。Ｅｄは受信局地点電界リストＬ６の電界であり、Ｅｕはデジタル妨害局地点電界リストＬ９の電界である。また、ＡＴＴは予め設定された値である。
【００６３】
等価Ｃ／Ｎ合算部３０３は、デジタル干渉波等価Ｃ／Ｎ計算部３０２からデジタル干渉波が存在する場合の等価Ｃ／Ｎを入力し、全てのデジタル妨害局について合算し、合算結果の等価Ｃ／ＮをＣ／Ｎ電力加算部３０４に出力する。合算処理は、前述したＣ／Ｎ電力加算部２９６が加算処理を行う際に用いる加算式と同様の式が用いられる。
【００６４】
Ｃ／Ｎ電力加算部３０４は、Ｃ／Ｎ電力加算部３００により加算された等価Ｃ／Ｎ、及び、デジタル妨害局地点等価Ｃ／Ｎ計算部３０１の等価Ｃ／Ｎ合算部３０３により合算された等価Ｃ／Ｎをそれぞれ入力し、これらを加算し、加算結果の等価Ｃ／Ｎを出力する。加算式は、前述したＣ／Ｎ電力加算部２９６による加算式と同じである。
【００６５】
このように、地点等価Ｃ／Ｎリスト生成部２８は、受信局地点電界リストＬ６、ＳＦＮ局地点電界リストＬ７、アナログ妨害局地点電界リストＬ８及びデジタル妨害局地点電界リストＬ９を入力し、地点等価Ｃ／Ｎ計算部２９によって全ての詳細地点について、受信機雑音Ｃ／Ｎ計算し、ＳＦＮ波が存在する場合の等価Ｃ／Ｎを全てのＳＦＮ局について合算し、アナログ干渉波が存在する場合の等価Ｃ／Ｎを全てのアナログ妨害局について合算し、デジタル干渉波が存在する場合の等価Ｃ／Ｎを全てのデジタル妨害局について合算し、これらの等価Ｃ／Ｎを加算して、メディア毎の地点等価Ｃ／ＮリストＬ１０を生成する。
【００６６】
〔地図表示部〕
図１に戻って、地図表示部３は、メディア毎地点Ｃ／Ｎリスト生成部２により生成されたメディア毎の地点等価Ｃ／ＮリストＬ１０を入力し、検討範囲内の詳細地点における等価Ｃ／Ｎの値に応じた記号を地図上に表示する。または、その等価Ｃ／Ｎの値に応じて地図上に色分けして表示する。
【００６７】
図４は、詳細地点の等価Ｃ／Ｎを地図上に表示する画面例である。この画面例は、メディア毎の地点等価Ｃ／ＮリストＬ１０のデータのうちの、あるメディアについての等価Ｃ／Ｎを表示しており、等価Ｃ／Ｎは、その値に応じた記号により区別されている。
【００６８】
このように、本発明の実施形態によるデジタル放送受信信号評価装置１によれば、地図表示部３が、図４に示したように、あるメディアについて、詳細地点毎の等価Ｃ／Ｎを、その値に応じて区別可能な形態で表示するようにした。従来は、電界の強弱を地図上に色分けして表示することは可能であったが、本発明の実施形態では、等価Ｃ／Ｎという、信号の良否が反映されたデータであって、ＳＦＮ干渉波、アナログ干渉波及びデジタル干渉波が考慮されたデータを地図上に表示するようにした。これにより、本発明の実施形態では、様々な干渉要因を総合的に考慮したデータに基づいて、ＳＦＮ干渉波、アナログ干渉波及びデジタル干渉波の影響が少ない最適な受信点を探索することができる。すなわち、送信技術者の経験と勘に頼ることなく、効率的かつ容易に受信点を探索することができる。
【００６９】
また、地図表示部３は、入力したメディア毎の地点等価Ｃ／ＮリストＬ１０を用いて、メディア毎に詳細地点の等価Ｃ／Ｎをレイヤー表示する。さらに、地図表示部３は、同一の詳細地点における等価Ｃ／Ｎをメディア間で比較し、最も値が小さい等価Ｃ／Ｎを抽出し、その等価Ｃ／Ｎを、統合レイヤーの詳細地点における等価Ｃ／Ｎとして表示する。
【００７０】
図５（ａ）は、メディア毎に詳細地点の等価Ｃ／Ｎを表示する画面例である。地図表示部３は、図５（ａ）に示すように、メディアＡ，Ｂ，Ｃ毎に、検討範囲内の詳細地点における等価Ｃ／Ｎを、その値に応じて区別可能な記号で表示する。
【００７１】
図５（ｂ）は、全メディアの統合結果を表示する画面例である。この画面例は、図５（ａ）における最上位の統合レイヤーの例と同一である。地図表示部３は、図５（ｂ）に示すように、同一の詳細地点における等価Ｃ／ＮをメディアＡ，Ｂ，Ｃ間で比較し、最も値が小さい等価Ｃ／Ｎを、その詳細地点の等価Ｃ／Ｎとした統合レイヤーを表示する。オペレータは、この統合レイヤーの表示から、等価Ｃ／Ｎの値が最も大きい詳細地点が最適な受信点であると判断することができる。
【００７２】
このように、本発明の実施形態によるデジタル放送受信信号評価装置１によれば、地図表示部３が、図５（ａ）に示したように、１画面内に、メディア毎に詳細地点の等価Ｃ／Ｎを、その値に応じて区別可能な形態で表示するようにした。一般に、メディアが異なると干渉要因も異なることから、詳細地点の等価Ｃ／Ｎもメディア毎に異なるものである。本発明の実施形態では、詳細地点の等価Ｃ／Ｎをメディア毎にレイヤー表示することにより、オペレータは、全てのメディアを考慮して最適な受信点を探索することができる。
【００７３】
また、本発明の実施形態によるデジタル放送受信信号評価装置１によれば、地図表示部３が、図５（ｂ）に示したように、全てのメディアの同一の詳細地点において、最も小さい値の等価Ｃ／Ｎを抽出し、抽出した等価Ｃ／Ｎによる統合レイヤーを表示するようにした。従来は、メディア毎に電界分布を計算し、それによって受信点として最適な場所を推測していた。本発明の実施形態では、オペレータは、全メディアに共通した等価Ｃ／Ｎを、統合レイヤーの表示によって視認することができる。これにより、全メディアに共通した最適な受信点を探索することができる。
【００７４】
尚、デジタル放送受信信号評価装置１は、ＣＰＵ、ＲＡＭ等の揮発性の記憶媒体、ＲＯＭ等の不揮発性の記憶媒体、及びインターフェース等を備えたコンピュータによって構成される。デジタル放送受信信号評価装置１に備えたメディア毎地点Ｃ／Ｎリスト生成部２及び地図表示部３の各機能は、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００７５】
以上、実施形態を挙げて本発明を説明したが、本発明は前記実施形態に限定されるものではなく、その技術思想を逸脱しない範囲で種々変形可能である。前記実施形態では、地図表示部３が、図４に示すような形態で、等価Ｃ／Ｎの値に応じた記号を詳細地点毎に表示しているが、本発明は表示形態を限定するものではなく、色分けしたり、値を直接表示したりするようにしてもよい。要するに、最適な受信点を探索しやすいような形態で表示すればよい。また、地図表示部３は、図５（ａ）に示したように、３つのメディアＡ，Ｂ，Ｃをレイヤー表示するようにしたが、本発明はメディアの数を限定するのもではない。また、地図表示部３は、図５（ｂ）に示したように、全てのメディアＡ，Ｂ，Ｃを統合した統合レイヤーを表示するようにしたが、オペレータが選択したメディアのみを統合して表示するようにしてもよい。
【図面の簡単な説明】
【００７６】
【図１】本発明の実施形態によるデジタル放送受信信号評価装置の構成を示すブロック図である。
【図２】受信局を決定する処理を説明するためのイメージ図である。
【図３】地点等価Ｃ／Ｎリスト生成部の構成を示すブロック図である。
【図４】詳細地点の等価Ｃ／Ｎを地図上に表示する画面例である。
【図５】（ａ）は、メディア毎に詳細地点の等価Ｃ／Ｎを表示する画面例である。（ｂ）は、全メディアの統合結果を表示する画面例である。
【符号の説明】
【００７７】
１  デジタル放送受信信号評価装置
２  メディア毎地点Ｃ／Ｎリスト生成部
３  地図表示部
２０  希望局リスト生成部
２１  詳細地点リスト生成部
２２  希望局地点電界リスト生成部
２３  受信局決定部
２４  同一チャンネル局抽出部
２５  妨害局リスト生成部
２６  アナログ妨害局地点電界リスト生成部
２７  デジタル妨害局地点電界リスト生成部
２８  地点等価Ｃ／Ｎリスト生成部
２９  地点等価Ｃ／Ｎ計算部
２９０  受信機雑音Ｃ／Ｎ計算部
２９１  ＳＦＮ局地点等価Ｃ／Ｎ計算部
２９２  ＳＦＮ波ＧＩ内外判定部
２９３  ＳＦＮ波ＧＩ外干渉波等価Ｃ／Ｎ計算部
２９４  ＳＦＮ波ＧＩ内干渉波等価Ｃ／Ｎ計算部
２９５，２９９，３０３  等価Ｃ／Ｎ合算部
２９６，３００，３０４  Ｃ／Ｎ電力加算部
２９７  アナログ妨害局地点等価Ｃ／Ｎ計算部
２９８  アナログ干渉波等価Ｃ／Ｎ計算部
３０１  デジタル妨害局地点等価Ｃ／Ｎ計算部
３０２  デジタル干渉波等価Ｃ／Ｎ計算部
【図１】
0004791511.tif 000005
【図２】
0004791511.tif 000006
【図３】
0004791511.tif 000007
【図４】
0004791511.tif 000008
【図５】
0004791511.tif 000009